(57)【要約】【課題】炭化水素冷媒を用いた冷蔵庫の起動に関し、起動時に冷媒発泡を抑え、冷え遅れを防止する冷蔵庫を提供することを目的とする。【解決手段】密閉容器内２４にオイルを貯留するとともに、電動要素２５と、電動要素により駆動され、吸入口２７を密閉容器内に開口した圧縮要素２６と、電動要素２５および圧縮要素２６を収容した圧縮機２１と、電動要素を駆動制御する制御手段２８と、電源投入後１回目の起動かどうかを判定する起動判定手段３２とを備え、冷媒は炭化水素を主成分とし、圧縮機２１を起動判定手段３２により電源投入後１回目の起動時のみを、通常回転数より低回転数で運転させることにより、密閉容器２４内の急激な圧力降下を抑制し、オイル２２から冷媒をゆるやかに遊離させることにより、冷媒の発泡現象を回避する。【選択図】  図１
2005016870.tif 000002
【特許請求の範囲】
【請求項１】
密閉容器内にオイルを貯留するとともに、電動要素と、電動要素により駆動され、ガス吸入口を密閉容器内に開口した圧縮要素と、電動要素および圧縮要素を収容した圧縮機と、電動要素を駆動制御する制御手段と、電源投入後１回目の起動かどうかを判定する起動判定手段とを備え、冷媒は炭化水素を主成分とし、前記圧縮機を前記起動判定手段により電源投入後１回目の起動時のみを、通常回転数より低回転数で運転させることを特徴とする冷蔵庫。
【請求項２】
冷蔵庫の周囲温度を検知する温度検知手段を備え、前記温度検知手段により任意の周囲温度以下の時に、圧縮機を起動判定手段により電源投入後１回目の起動時のみを、通常回転数より低回転数で運転させることを特徴とする請求項１記載の冷蔵庫。
【請求項３】
圧縮機を電源投入後１回目の起動時のみを、一定時間通常回転数より低回転数で運転させ、一定時間後給油保護回転数まで回転数を変化させることを特徴とする請求項１または２記載の冷蔵庫。
【請求項４】
冷媒の純度は８０％以上であることを特徴とする請求項１から３のいずれか一項記載の冷蔵庫。
【請求項５】
オイルは鉱油であることを特徴とする請求項１から４のいずれか一項記載の冷蔵庫。
【請求項６】
封入冷媒量は５０ｇ以上であることを特徴とする請求項１から５のいずれか一項記載の冷蔵庫。
【請求項７】
低速回転数は４０Ｈｚ以下であることを特徴とする請求項１から６のいずれか一項記載の冷蔵庫。
【請求項８】
低速回転を行う時間は２秒以上、３０秒以内であることを特徴とする請求項１から７のいずれか一項記載の冷蔵庫。
【発明の詳細な説明】
【０００１】
【発明の属する技術分野】
本発明は、圧縮機の起動時の液圧縮を防止する冷蔵庫に関するものである。
【０００２】
【従来の技術】
近年、地球環境への意識が高まり、地球温暖化抑制のため冷蔵庫に用いられる冷媒も代替フロンから炭化水素を主成分にした可燃性冷媒への移行が進められている。
【０００３】
冷媒を炭化水素を主成分にした可燃性冷媒にすることで、圧縮機内のオイルに溶け込む冷媒量は従来の代替フロンに比べて多く（以下冷媒が多量にオイルに溶け込んでいる状態を寝込みと表現する）、特に電源投入時一回目の起動時において圧縮機内オイルに溶け込んだ液冷媒が気泡状になって溶出することによりフォーミング現象が発生したり、或は、液冷媒を圧縮機が直接吸い込むことにより液圧縮が発生し、圧縮機の故障の原因になることになる。
【０００４】
一般に、圧縮機に室内及び室外側熱交換器を冷媒配管で接続したヒートポンプ式冷凍装置においては、電動要素を予め設定された設定時間内だけ欠相通電して油溜め空間等を加熱し、かつ、この欠相通電を行った後に圧縮機を起動するような制御が設けられている（例えば、特許文献１参照。）。
【０００５】
以下、図面を参照しながら上記従来のヒートポンプ式冷凍装置を説明する。
【０００６】
図９は、従来のヒートポンプ式冷凍装置の配管系統図である。図に示すように、ヒートポンプ式冷凍装置は、圧縮機１、四方弁２、ファン６が付設された室内熱交換器３、同じくファン７が付設された室外熱交換器４をそれぞれ冷媒配管で接続して構成されている。
【０００７】
また、圧縮機１は底部に油溜め空間１０を有する密閉容器１１に、圧縮要素１２と、圧縮要素１２を駆動する電動要素を構成する三相電動機１３とを内装している。また、膨張弁５は各熱交換器３、４間の冷媒配管に介装されたものであり、ヒートポンプ式冷凍装置の電源ブレーカ１５、ヒートポンプ式冷凍装置の運転用スイッチ１６がある。
【０００８】
そして、上記のように構成されたヒートポンプ式冷凍装置により冷房運転を行う場合には、四方弁２を同図破線で示すように切換えて、圧縮機１からの吐出冷媒を室外側熱交換器４から室内側熱交換器３に送って室内冷房を行う。また、暖房運転を行うときには、四方弁２を同図実線のように切換えて、圧縮機１からの吐出冷媒を室内側熱交換器３から室外側熱交換器４に送って室内暖房を行う。
【０００９】
以上のような暖房運転を行った後に、運転用スイッチ１６をオフして停止し放置した時、または、ヒートポンプ式冷凍装置の電源ブレーカ１５をオフして停止し、ヒートポンプ式冷凍装置が通電されないまま放置された時に、密閉容器１１に設けた油溜め空間１０の油中に液冷媒が寝込む。この寝込んだ液冷媒を排出するための液冷媒排出機構を以下に説明する構成とした。
【００１０】
即ち、この液冷媒排出機構は、ヒートポンプ式冷凍装置の運転用スイッチ１６をオンにした時のみ、予め設定する時間内だけ圧縮機１の三相電動機１３に設ける各コイル巻線のうち二相の巻線に単相通電し、かつ、その後に圧縮機１に三相通電を行うよう制御するための制御装置１７を設けたものであり、次にその動作を説明する。
【００１１】
ヒートポンプ式冷凍装置の運転用スイッチ１６をオンにして電源が投入されると、制御回路１７の制御により、予め設定した時間（欠相通電による液冷媒排出実験等により決定した時間、即ち、密閉容器１１内が液冷媒で満液の状態から、圧縮機が問題なく起動できる液面高さになるまでに必要な液冷媒排出のための時間）だけ、欠相通電用リレー１８（通常運転用リレー１９に対し並列接続されている）がオンし、圧縮機１の三相電動機１３に設けた各コイル巻線のうち二相の巻線に単相通電される。
【００１２】
この状態では三相電動機１３は回転せず、単相通電によるコイル巻線の発熱のみが生じ、油溜め空間１０内に寝込んだ液冷媒を加熱する。加熱された液冷媒は、圧縮機１内から蒸発し、温度の低いアキュムレータ２０や室内、室外熱交換器３、４等に移動する。予め設定した時間後に、圧縮機１内には、圧縮機１が起動時に支障が無い量の液冷媒しか残らない。この時、制御回路１７により、欠相通電用リレー１８はオフし、通常運転用リレー１９がオンして、圧縮機１は、液冷媒の寝込み量が極めて少ない状態で起動する。
【００１３】
【特許文献１】
特開２０００−２９２０１７号公報
【００１４】
【発明が解決しようとする課題】
しかしながら上記従来のヒートポンプ式冷凍装置方法を冷蔵庫に適応した場合は、圧縮機を欠相通電によるコイル巻線の発熱で油溜め空間１０内に寝込んだ液冷媒を加熱しており、電源投入後すぐに圧縮機を起動することができないことで冷蔵庫を所定の温度まで冷却する時間が長くなるという課題がある。また、消費電力量が増大してしまうという課題がある。
【００１５】
本発明は上記従来の課題を解決するもので、炭化水素系冷媒を用いた圧縮機において、起動時の液圧縮を防止し、消費電力量の増大がなく電源投入時直後から圧縮機を起動させ速やかに所定の温度まで冷却できる冷蔵庫を提供することを目的とする。
【００１６】
【課題を解決するための手段】
本発明の請求項１に記載の冷蔵庫の発明は、密閉容器内にオイルを貯留するとともに、電動要素と、電動要素により駆動され、ガス吸入口を密閉容器内に開口した圧縮要素と、電動要素および圧縮要素を収容した圧縮機と、電動要素を駆動制御する制御手段と、電源投入後１回目の起動かどうかを判定する起動判定手段とを備え、冷媒は炭化水素を主成分とし、前記圧縮機を前記起動判定手段により電源投入後１回目の起動時のみを、通常回転数より低回転数で運転させるものであり、消費電力量の増大がなく圧縮機起動時の寝込み冷媒発泡を抑え、発泡オイルの液圧縮を防止することができ、電源投入時直後から圧縮機を起動させ冷蔵庫を速やかに所定の温度まで冷却できる。
【００１７】
請求項２に記載の発明は、請求項１に記載の発明において、冷蔵庫の周囲温度を検知する温度検知手段を備え、前記温度検知手段により任意の周囲温度以下の時に、圧縮機を起動判定手段により電源投入後１回目の起動時のみを、通常回転数より低回転数で運転させるものであり、圧縮機内オイルに溶け込む冷媒量が多い冷蔵庫周囲温度が任意の周囲温度より低い場合に急激な発泡現象を防止し、圧縮機内オイルに溶け込む冷媒量が少ない冷蔵庫周囲温度が任意の周囲温度より高い場合は、電源投入後１回目の起動時でも通常回転数で圧縮機を運転し冷蔵庫を所定の温度まで冷却できる。
【００１８】
請求項３に記載の発明は、請求項１または請求項２に記載の発明において、圧縮機を電源投入後１回目の起動時のみを、一定時間通常回転数より低回転数で運転させ、一定時間後給油保護回転数まで回転数を変化させるものであり、圧縮要素に十分な給油ができ信頼性の向上が図れる。
【００１９】
請求項４に記載の発明は、請求項１から３のいずれか一項記載の発明において、冷媒の純度は８０％以上であるものであり、不純物の発泡助長要因が排除でき、さらなる圧縮機起動時の寝込み冷媒発泡の抑制ができる。
【００２０】
請求項５に記載の発明は、請求項１から請求項４のいずれか一項に記載の発明において、オイルは鉱油であるものであり、圧縮機内に必要なオイルを貯めることができ信頼性の向上が図れる。
【００２１】
請求項６に記載の発明は、請求項１から請求項５のいずれか一項に記載の発明において、封入冷媒量は５０ｇ以上であるものであり、どのような条件下においても圧縮機内に必要なオイルを貯めることができ信頼性の向上が図れる。
【００２２】
請求項７に記載の発明は、請求項１から請求項６のいずれか一項に記載の発明において、低速回転数は４０Ｈｚ以下であるものであり、寝込み冷媒発泡現象はさらに緩和される。
【００２３】
請求項８に記載の発明は、請求項１から請求項７のいずれか一項に記載の発明において、低速回転を行う時間は２秒以上、３０秒以内であるものであり、低速回転時間を少なくでき、冷蔵庫をさらに速やかに所定の温度まで冷却できる。
【００２４】
【発明の実施の形態】
以下、本発明による冷蔵庫の一実施の形態について、図面を参照しながら説明する。なお、従来と同一構成には、同一符号を付して詳細な説明を省略する。
【００２５】
（実施の形態１）
本発明による実施の形態１について、図面を参照しながら説明する。
【００２６】
図１は本発明の実施の形態１による冷蔵庫を説明する冷凍サイクル構成図である。図２は冷蔵庫の実施の形態１による冷蔵庫を説明する圧縮機断面図である。図３は本発明の実施の形態１による冷蔵庫の運転制御のフローチャートである。
【００２７】
図１から図３において、冷蔵庫２３は、圧縮機２１、凝縮器２９、キャピラリーチューブ３０、蒸発器３１を順次接続した冷凍サイクルを備え、制御手段２８で運転制御される。
【００２８】
圧縮機２１は、密閉容器２４内に電動要素２５、圧縮要素２６を有し、密閉容器２４の底部にはオイル２２が貯留されている。冷凍サイクルを循環する冷媒は、炭化水素を主成分とした、たとえばイソブタンなどの可燃性自然冷媒であり、圧縮機２１に戻る吸入口２７は密閉容器２４の空間に開口している。また、オイル２２は鉱油を用いている。また、炭化水素を主成分とした冷媒は、純度が８０％以上のものを用いている。ここで冷媒の純度とはＪＩＳ−Ｋ０１１４で示すようなガスクロマトグラフでの定量分析による成分比率を言う。前記冷凍サイクルの冷媒封入量は５０〜１００ｇとしている。
【００２９】
また、前記制御手段２８により、圧縮機２１起動時の一定時間、前記圧縮機２１を電源周波数より低い周波数、たとえば４０Ｈｚ以下で運転制御するようにしている。
【００３０】
また、起動判定手段３２は、圧縮機２１の起動が電源投入後１回目の起動かどうかを判定する。
【００３１】
このような構成において次に作用を説明する。
【００３２】
制御手段２８は冷蔵庫２３の貯蔵室（図示せず）の温度が所定の温度より高い際に、電動要素２５に運転開始の指示をだす。電動要素２５の回転により圧縮要素２６は駆動される。冷媒ガスは密閉容器２４の空間内に開口した吸入口２７から圧縮要素２６に吸い込まれ、圧縮された後、凝縮器２９、キャピラリーチューブ３０、蒸発器３１の順に冷凍サイクルを循環する。オイル２２は密閉容器２４内に貯留されているため、圧縮要素２６の駆動により密閉容器２４内に飛散し、ごく微量であるが、冷媒とともに吸入口２７より吸い込まれ、冷凍サイクルの中を循環する。従い、吐出されたオイル２２を確実に圧縮機２１に戻らせるために、オイル２２は冷媒ガスに相溶性のよいものを選択している。この結果、密閉容器２４に貯留されているオイル２２にも多量の冷媒が溶け込むことになる。なお、炭化水素系冷媒と鉱油との相溶性（オイルに対する冷媒の溶け込み量）は、フロン系冷媒ＨＦＣ１３４ａとエステル油との相溶性に比べ２〜３割り良い特性を持っている。
【００３３】
次に冷媒サイクルの動作を説明する。寝込み状態から、制御手段２８から駆動開始の指示が出ると上記作用により圧縮機２１が圧縮を開始する（ステップＳ１）。起動判定手段３２は、圧縮機２１の起動が電源投入後１回目の起動かどうかを判定し（ステップＳ２）、圧縮機２１の起動が電源投入後１回目の起動時のみ電動要素２５は４０Ｈｚ回転で運転する（ステップＳ３）。密閉容器２４内は圧縮要素２６により冷媒が吸入されることで、圧力が下がってゆく。この時、電動要素２５は４０Ｈｚ回転により運転されるため、吸い込み冷媒の単位時間内の量が制限され、密閉容器２４内の圧力降下は緩やかになる。圧力降下が緩やかなため、オイル２２に溶け込んでいる冷媒は徐々にオイル２２より遊離し、急激な発泡現象は回避される。従い、急激な発泡により発生する泡がないことにより、重なりあったオイル２２の泡が吸入口２７に達することがなく、オイル圧縮は起こらない。
【００３４】
従って、オイル圧縮による異音の発生も生じず、また圧縮機２１の信頼性も高まる。また、圧縮機２１は駆動の必要があると、従来のような起動までに所定時間を要することもなく、すぐに運転を開始することができるので、速やかに冷却することができる。また、従来のように冷媒遊離のためだけに使う余分な電力を消費せず、省エネ効果を得ることができる。また、低速回転運転は圧縮機の騒音レベルも低く、圧縮機が回り始めるときの起動音を小さく抑えることができる。特に、本実施の形態で説明したように、炭化水素系冷媒と鉱油との組み合わせにおいて、上記作用効果を得やすい。これは、炭化水素系冷媒と鉱油との相溶性は、フロン系冷媒ＨＦＣ１３４ａとエステル油との相溶性に比べ２〜３割り良い特性を持っていることによるものである。
【００３５】
また、寝込み状態でない電源投入後２回目以降の起動時には、起動時から圧縮機２１は通常回転数で運転することで、速やかに貯蔵室を設定温度まで冷却できる。
【００３６】
なお、本実施例では冷媒膨張器としてキャピラリーチューブ３０を採用しているが、減圧機であれば作用は変わらない。また、本実施例では、冷凍システムの構成要素が各１個ずつの基本的な構成であるが、構成要素が複数となるものでも同様の作用となる。
【００３７】
また、冷媒純度は８０％以上としたため、不純物の発泡助長要因が排除でき、よりいっそう発泡現象の抑制ができる。
【００３８】
また、炭化水素冷媒は鉱油との相溶性が極めて良好であり、オイル２２を鉱油としたため、吐出されたオイル２２はよりいっそう、戻りやすくなる。
【００３９】
また、冷却器を複数設けたり、冷却負荷が比較的大きい冷凍サイクルを有する冷蔵庫では封入冷媒量を５０ｇ〜１００ｇとするが、封入冷媒量が多くなっても上記作用効果により、液圧縮が起こらず、低騒音化、高信頼性を得ることができる。
【００４０】
また、低速回転数を、４０Ｈｚ以下としたため、商用電源周波数５０／６０Ｈｚに比較して８０％あるいは６６％の低い回転数でであり、圧力降下はいっそう緩やかになり、発泡現象はよりいっそう緩和される。
【００４１】
（実施の形態２）
本発明による実施の形態２について、図面を参照しながら説明する。なお、実施の形態１と同一構成については、同一符号を付して詳細な説明を省略する。
【００４２】
図４は冷蔵庫の実施の形態２による冷蔵庫を説明する冷凍サイクル構成図である。図５は冷蔵庫の実施の形態２による冷蔵庫を説明するフローチャートである。
【００４３】
図４、５において、温度検知手段３３は冷蔵庫の周囲温度を検知し、制御手段２８に信号を出力する。
【００４４】
次に冷媒サイクルの動作を説明する。寝込み状態から、制御手段２８から駆動開始の指示が出ると上記作用により圧縮機２１が圧縮を開始する（ステップＳ４）。起動判定手段３２は、圧縮機２１の起動が電源投入後１回目の起動時（ステップＳ５）で、さらに温度検知手段３３が任意の設定温度以下である２０℃以下を検知した時（ステップＳ６）のみ電動要素２５は４０Ｈｚ回転で運転する（ステップＳ７）。これにより圧縮機２１内オイルに溶け込む冷媒量が少ない冷蔵庫周囲温度が任意の周囲温度より高い場合は、電源投入後１回目の起動時でも通常回転数で圧縮機２１を運転できるので、速やかに貯蔵室を設定温度まで冷却できる。
【００４５】
また、寝込み状態でない電源投入後２回目以降の起動時には、起動時から圧縮機２１は通常回転数で運転することで、速やかに貯蔵室を設定温度まで冷却できる。
【００４６】
（実施の形態３）
本発明による実施の形態３について、図面を参照しながら説明する。なお、実施の形態１から２と同一構成については、同一符号を付して詳細な説明を省略する。
【００４７】
図６は冷蔵庫の実施の形態３による冷蔵庫を説明する冷凍サイクル構成図である。図７は冷蔵庫の実施の形態３による冷蔵庫を説明するフローチャートである。図８は冷蔵庫の実施の形態３による冷蔵庫を説明する圧縮機の運転回転数が高回転へ移行する場合を示すタイムチャートである。
【００４８】
タイマー手段３４は圧縮機２１が起動してから時間を積算し、設定時間まで積算すると制御手段２８に信号を出力する。
【００４９】
次に冷媒サイクルの動作を説明する。制御手段２８から駆動開始の指示が出ると上記作用により圧縮機２１が圧縮を開始する（ステップＳ８）。起動判定手段３２は、圧縮機２１の起動が電源投入後１回目の起動時（ステップＳ９）に、タイマー手段３４が時間積算を開始（ステップＳ１０）し、タイマー手段３４が任意の設定時間である１２秒間までは、電動要素２５は低回転である４０Ｈｚ回転で運転する（ステップＳ１１）。そして制御手段２８はタイマー手段３４が１２秒間を積算した時点で、圧縮機２１を給油可能回転数まで変化させる（ステップＳ１２）これにより圧縮要素に十分な給油ができ信頼性の向上が図れる。
【００５０】
この後、例えば貯蔵室（図示せず）の温度が高いときは、圧縮機２１の回転数を高回転に移行し、速やかに貯蔵室の温度を下げていくことにより貯蔵室の冷え遅れを防止することができる。あるいは、貯蔵室の温度が比較的低いときは圧縮機２１の回転数をさらに下げ、冷凍サイクル効率の高い運転を実施でき、無駄な消費電力量の消費を防止し、騒音も抑えることができる。
【００５１】
通常、本発明を実施しない冷凍サイクルでは、発泡現象は圧縮機の駆動開始より２秒から３０秒の間に見られる。すなわち、本発明では低速運転時間を２秒以上としたことにより、低速運転中の冷媒循環量の少ない時間が短くなり、貯蔵室（図示せず）の冷え遅れが防止できる。また、３０秒以下としたことで、確実に発泡現象を抑えることができる。
【００５２】
【発明の効果】
以上説明したように本発明の請求項１に記載の発明は、密閉容器内にオイルを貯留するとともに、電動要素と、電動要素により駆動され、ガス吸入口を密閉容器内に開口した圧縮要素と、電動要素および圧縮要素を収容した圧縮機と、電動要素を駆動制御する制御手段と、電源投入後１回目の起動かどうかを判定する起動判定手段とを備え、冷媒は炭化水素を主成分とし、前記圧縮機を前記起動判定手段により電源投入後１回目の起動時のみを、通常回転数より低回転数で運転させるものであり、泡状オイルの圧縮要素への吸い込みが防止できることより、圧縮機耐久性に悪影響するオイル圧縮を防止することができるとともに、圧縮機駆動必要時にすぐ運転を開始することができ、貯蔵室の冷え遅れも抑えることができる。
【００５３】
さらに、冷媒遊離のためだけに使う余分な電力を消費する必要もない。また、低速回転運転は圧縮機の騒音レベルも低く、圧縮機が回り始めるときの起動音を小さく抑えることができる。
【００５４】
また、請求項２に記載の発明は、請求項１に記載の発明において、冷蔵庫の周囲温度を検知する温度検知手段を備え、前記温度検知手段により任意の周囲温度以下の時に、圧縮機を起動判定手段により電源投入後１回目の起動時のみを、通常回転数より低回転数で運転させるものであり、圧縮機内オイルに溶け込む冷媒量が少ない冷蔵庫周囲温度が任意の周囲温度より高い場合は、電源投入後１回目の起動時でも通常回転数で圧縮機を運転し冷蔵庫を所定の温度まで冷却できる。
【００５５】
また、請求項３に記載の発明は、請求項１または請求項２に記載の発明において、圧縮機を電源投入後１回目の起動時のみを、一定時間通常回転数より低回転数で運転させ、一定時間後給油保護回転数まで回転数を変化させるものであり、圧縮要素に十分な給油ができ信頼性の向上が図れる。
【００５６】
また、請求項４に記載の発明は、請求項１から３のいずれか一項記載の発明において、冷媒の純度は８０％以上であるものであり、さらなる圧縮機起動時の寝込み冷媒発泡の抑制ができる。
【００５７】
また、請求項５に記載の発明は、請求項１から請求項４のいずれか一項に記載の発明において、オイルは鉱油であるものであり、圧縮機内に必要なオイルを貯めることができ信頼性の向上が図れる。
【００５８】
また、請求項６に記載の発明は、請求項１から請求項５のいずれか一項に記載の発明において、封入冷媒量は５０ｇ以上であるものであり、どのような条件下においても圧縮機内に必要なオイルを貯めることができ信頼性の向上が図れる。
【００５９】
また、請求項７に記載の発明は、請求項１から請求項６のいずれか一項に記載の発明において、低速回転数は４０Ｈｚ以下であるものであり、寝込み冷媒発泡現象はさらに緩和される。
【００６０】
また、請求項８に記載の発明は、請求項１から請求項７のいずれか一項に記載の発明において、低速回転を行う時間は２秒以上、３０秒以内であるものであり、低速運転時間を２秒以上としたことにより、低速運転中の冷媒循環量の少ない時間が短くなり、貯蔵室（図示せず）の冷え遅れがさらに防止でき、３０秒以下としたことで、確実に発泡現象を抑えることができる。
【図面の簡単な説明】
【図１】本発明の実施の形態１による冷蔵庫を説明する冷凍サイクル構成図
【図２】本発明の実施の形態１による冷蔵庫を説明する圧縮機断面図
【図３】本発明の実施の形態１による冷蔵庫の運転制御のフローチャート
【図４】本発明の実施の形態２による冷蔵庫を説明する冷凍サイクル構成図
【図５】本発明の実施の形態２による冷蔵庫を説明するフローチャート
【図６】本発明の実施の形態３による冷蔵庫を説明する冷凍サイクル構成図
【図７】本発明の実施の形態３による冷蔵庫を説明するフローチャート
【図８】本発明の実施の形態３による冷蔵庫を説明する圧縮機の運転回転数が高回転へ移行する場合を示すタイムチャート
【図９】従来の冷凍装置の配管系統図
【符号の説明】
２１  圧縮機
２２  オイル
２３  冷蔵庫
２４  密閉容器
２５  電動要素
２６  圧縮要素
２７  吸入口
２８  制御手段
３２  起動判定手段
３３  温度検知手段
３４  タイマー手段
【図１】
2005016870.tif 000003
【図２】
2005016870.tif 000004
【図３】
2005016870.tif 000005
【図４】
2005016870.tif 000006
【図５】
2005016870.tif 000007
【図６】
2005016870.tif 000008
【図７】
2005016870.tif 000009
【図８】
2005016870.tif 000010
【図９】
2005016870.tif 000011